(57)【要約】      （修正有）【課題】床ずれを防止し、且つおむつ交換を一人の介護者ですることのできる介護用シートの提供。【解決手段】布製で大きさの長さ寸法が６０ｃｍ〜１００ｃｍ、幅寸法を２０ｃｍ〜４０ｃｍとなしたシート部材２，３の一対を作成し、該シート部材の長さ方向の一辺を対峙させ、ファスナーで開閉自在に係合させると共に、各シート部材の端縁部に一定長の牽引ベルト５，６，７，８を取り付けたものとなし、上記シート部材がファスナー４を介し臥床した人の臀部付近で上下方向へ分離可能に配置させる。【選択図】図１
0003113198.tif 000002
【実用新案登録請求の範囲】
【請求項１】
布製で大きさの長さ寸法が６０ｃｍ〜１００ｃｍ、幅寸法を２０ｃｍ〜４０ｃｍとなしたシート部材の一対を作成し、該シート部材の長さ方向の一辺を対峙させ、ファスナーで開閉自在に係合させると共に、各シート部材の端縁部に一定長の牽引ベルトを取り付けたものとなし、上記シート部材がファスナーを介し臥床した人の臀部付近で上下方向へ分離可能に配置させるものとなされることを特徴とした介護用シート。
【請求項２】
ファスナーをオープンファスナーとなしたことを特徴とする請求項１記載の介護用シート。
【請求項３】
各シート部材の端縁部を台形状に形成し、台形状になされた中央側端に牽引ベルトを取付けたことを特徴とする請求項１又は２記載の介護用シート。
【請求項４】
牽引ベルトの先端に対し、ベッドの側枠へ係止可能とする金属製の係止環を取付けたことを特徴とする請求項１、２又は３記載の介護用シート。
【考案の詳細な説明】
【技術分野】
【０００１】
本考案は、病人、老人又は身体の不自由な人などの床ずれを防止したり、おむつ交換の際に使用する介護用シートに関するものである。
【背景技術】
【０００２】
従来、床ずれを防止するために、背中の下にクッション等を入れて背中を傾かせる等していたが、クッションがずれてしまうという問題があった。また、おむつを交換する際には、背中を押さえる人と、おむつを替える人の二人の介護者が必要であった。
【特許文献１】特開２００１−３０９９５０
【考案の開示】
【考案が解決しようとする課題】
【０００３】
そこで、本考案は、係る問題点を解決すべく、床ずれを防止し、且つおむつ交換を一人の介護者ですることのできる介護用シートの提供を目的とするものである。
【課題を解決するための手段】
【０００４】
本考案に係る介護用シートは、布製で大きさの長さ寸法が６０ｃｍ〜１００ｃｍ、幅寸法を２０ｃｍ〜４０ｃｍとなしたシート部材の一対を作成し、該シート部材の長さ方向の一辺を対峙させ、ファスナーで開閉自在に係合させると共に、各シート部材の端縁部に一定長の牽引ベルトを取り付けたものとなし、上記シート部材がファスナーを介し臥床した人の臀部付近で上下方向へ分離可能に配置させるものとなされることを特徴とした。この際、ファスナーをオープンファスナーとなしたり、各シート部材の端縁部を台形状に形成し、台形状になされた中央側端に牽引ベルトを取付けりする。また、牽引ベルトの先端に対し、ベッドの側枠へ係止可能とする金属製の係止環を取付けたりする。
【考案の効果】
【０００５】
本考案は以上の通り構成するものであって、介護用シートのうち１枚のシート部材が被介護者の背中部に、他のシート部材が被介護者の臀部に当接するようにベッドの上に敷き、被介護者を傾かせ、各シート部材の端縁部に設けられた牽引ベルトによりベッドの側枠に係止し、被介護者を傾けたまま固定することができ、介護用シートがずれたりすることがなく、これを１日数回交互に傾けさせることにより床ずれを防止することができるものとなった。
【０００６】
また、各シート部材をファスナーにより開閉自在としたことは、ファスナーを開放し、被介護者の背中部に当接されたシート部材のみ使用しベッドの側枠に係止させて、被介護者を傾けさせ、該介護用シートにより被介護者の背中が支えられるとともに、臀部を出すことができるので、おむつ交換が介護者一人でできるものとなった。さらに、ファスナーを分離可能なオープンファスナーとすることにより、汚れたシートのみ洗濯をすることでき、ファスナーにリバーシブルファスナーを使用することにより裏表のどちら側でもファスナーの開閉をすることができるものとなる。
【０００７】
各シート部材の端縁部を台形状に形成したことは、シート部材の角がめくれあがったりしないため、使いやすいものとなった。また、牽引ベルトの先端に対し、ベッドの側枠へ係止可能とする金属製の係止環を取付けたことは、各シート部材をベッドの側枠へ係止する際の作業性が向上するものとなる。
【考案を実施するための最良の形態】
【０００８】
以下、図面に示す実施の形態について説明する。
図１は本考案に係る介護用シートの平面図で、図２は図１の底面図で、図３は介護用シートを被介護者の下に敷いた状態の説明図で、図４は介護用シートを床ずれ防止として使用する状態の説明図で、図５は介護用シートをおむつ交換する際の補助として使用する状態の説明図である。
【０００９】
本考案に係る介護用シート１は、１対のシート部材２、３、ファスナー４、牽引ベルト５、６、７、８、把手９、１０、１１、１２からなる。
【００１０】
シート部材２、３の素材はキルティング等の布地を使用し、大きさは長さ寸法Ｌが６０ｃｍ〜１００ｃｍで、幅寸法ｗが２０ｃｍ〜４０ｃｍであって、端縁部を台形状に形成している。そして、各シート部材２、３の長さ方向の１辺を対峙させ、ファスナー４によって開閉自在に係合させることができる。ファスナー４は分離可能なオープンファスナーであり、汚れたシートのみ洗濯をすることできる。また、ファスナー４にリバーシブルファスナーを使用することにより裏表のどちら側でもファスナーの開閉をすることができるものとなる。
【００１１】
牽引ベルト５、６、７、８は、各シート部材２、３の台形状になされた中央側端に取り付けられている。牽引ベルト５、６、７、８の端部には長さ調節具１３、１４、１５、１６を介して環が形成されており、該環は後述する引っかけ環を係止する係止環５ａ、６ａ、７ａ、８ａとなる。図６は牽引ベルト５の部分を拡大した説明図であり、引っかけ環１７は、金属製であって一部が開閉自在の環であって、係止環５ａに引っかけ環１７を係止して、該引っかけ環１７をベッドの側枠に引っかけて使用するのである。
【００１２】
また、図７は他の例の牽引ベルト部分の説明図で、牽引ベルト５の係止環５ａにあらかじめ金属製のＤ環１８を取り付け、該Ｄ環１８に金属製のＳ環１９を係止し、該Ｓ環１９をベッドの側枠に引っかけて使用することもできる。
【００１３】
把手９、１０、１１、１２は、ベルト状であって、各シート部材２、３の底面側の台形状になされた中央側端に、長さ方向に対して垂直に設けられている。
【００１４】
次に使用方法について説明する。図３に示すごとく、介護用シート１のうち１枚のシート部材２が被介護者の背中部に、他のシート部材３が被介護者の臀部に当接するようにベッドの上に敷く。この際、ファスナー４はおむつ交換をする際に被介護者を傾けさせる方向と反対の位置から開放させる位置に配置する。即ち、本例では図５示す如く被介護者を被介護者の右手側に傾けさせるので、被介護者の左手側からファスナー４が開放するように配置する。
【００１５】
床ずれ防止として使用する場合には、介護用シート１のファスナー４を閉じた状態で使用し、被介護者を傾けさせる方向とは反対の、各シート部材２、３の底面に設けられた把手９、１１或いは把手１０、１２を持って、被介護者を傾かせ、牽引ベルトの係止環５ａ、７ａ或いは牽引ベルトの係止環６ａ、８ａに係止した引っかけ環をベッドの側枠に引っかけて、被介護者を傾けたまま固定する。即ち図４においては、被介護者を被介護者の右手側に傾けさせるため、把手９、１１を持ち、被介護者を傾かせ、牽引ベルト５、７の係止環５ａ、７ａに係止された引っかけ環１７、２０をベッドの側枠２１に引っかけてあるのである。ある程度の時間、傾けさせると今度は反対方向に傾けさせ、１日に数回、介護用シート１で傾けたまま固定させると床ずれの防止ができるものとなる。
【００１６】
おむつ交換をする際の補助として使用するには、図５に示す如く、ファスナー４を開放し、被介護者の背中部に当接されたシート部材２のみを使用し、牽引ベルトの係止環５ａに係止した引っかけ環をベッドの側枠２１に係止させて、被介護者を傾けさせるのである。若し、床ずれ防止のために図４に示す如く、被介護者を傾けたままにしてある場合には、引っかけ環２０をベッドの側枠２１から外し、介護用シート１の底面側からファスナー４を開放し、図５に示す如くシート部材３をベッドの上に拡げるのである。また、図３に示す如く、被介護者が介護用シート１の上に寝た状態からおむつ交換をする場合には、介護用シート１の平面側からファスナー４を開放し、シート部材２の底面に設けられた把手９を持って、被介護者を傾かせ、牽引ベルトの係止環５ａに係止した引っかけ環１７をベッドの側枠２１に引っかけて、被介護者を傾けたまま固定する。このようにすると、介護用シート１により被介護者の背中が支えられるとともに、臀部を出すことができるので、おむつ交換が介護者一人でできるものとなる。ファスナー４をリバーシブルファスナーとしていることは、介護用シート１をベッドに拡げた状態の平面側からも、介護用シート１を床ずれ防止のため、被介護者を傾けたまま固定させた状態の底面側からも開閉ができるので便利である。
【００１７】
また、おむつ交換をすると介護用シート１が汚れるため、洗濯をする必要がある。その際、介護用シート１全体を替えるのは大変であるが、よく汚れるのは被介護者の臀部が当接されているシート部材であり、該シート部材のみファスナー４を開放して分離することができるため、洗濯する際にも便利である。
【図面の簡単な説明】
【００１８】
【図１】本考案に係る介護用シートの平面図である。
【図２】本考案に係る介護用シートの底面図である。
【図３】介護用シートを被介護者の下に敷いた状態の説明図である。
【図４】介護用シートを床ずれ防止として使用する状態の説明図である。
【図５】介護用シートをおむつ交換する際の補助として使用する状態の説明図である。
【図６】牽引ベルト部分を拡大した説明図である。
【図７】他の例の牽引ベルト部分を拡大した説明図である。
【符号の説明】
【００１９】
１    介護用シート
２、３    シート部材
４    ファスナー
５、６、７、８    牽引ベルト
５ａ、６ａ、７ａ、８ａ  係止環
９、１０、１１、１２    把手
１３、１４、１５、１６  長さ調節具
１７、２０  引っかけ環
１８  Ｄ環
１９  Ｓ環
２１  ベッドの側枠
【図１】
0003113198.tif 000003
【図２】
0003113198.tif 000004
【図３】
0003113198.tif 000005
【図４】
0003113198.tif 000006
【図５】
0003113198.tif 000007
【図６】
0003113198.tif 000008
【図７】
0003113198.tif 000009